(57)【要約】【課題】ごみ捨て時のお手入れ性や清潔性を向上した集塵装置を提供すること。【解決手段】集塵装置を、外郭を構成する集塵ケース８と、集塵ケース８の後部を塞ぐように設けられた上流フィルター９とその後方を塞ぐように設けられた下流フィルター１０から構成し、上流フィルター９および下流フィルター１０を開閉する際の回動軸部（ヒンジ部）９ｆ等を集塵ケース８の上方に設け二重壁、上流フィルター９および下流フィルター１０をロックする係止部１１を集塵ケース８の側面下方に設ける構成としたので、ごみ捨て時のお手入れ性や清潔性を向上した集塵装置を提供できるようになる。【選択図】図２
2010004998.tif 000002
【特許請求の範囲】
【請求項１】
前部に吸入口を設けた塵埃を捕集する集塵ケースと、粗塵を捕集する役割となる回動自在に取着された上流フィルターと、前記上流フィルターを通過した細塵を捕集する役割となる回動自在に取着された下流フィルターとを備えた集塵装置において、前記上流フィルターおよび下流フィルターを開閉する際の回動軸部を集塵ケースの上方に設け、前記上流フィルターおよび下流フィルターをロックする係止部を集塵ケースの側面の下方に設けた集塵装置。
【請求項２】
係止部を解除する操作部は、集塵ケースの持ち手部と、上流フィルターおよび下流フィルターを開閉する際の回動軸部との間の位置に、配置する構成とした請求項１に記載の集塵装置。
【請求項３】
係止部を解除する操作部及び集塵ケースの持ち手部を、集塵ケースの上方中央部に配置し、係止部を解除する操作部を略Ｕ字型形状とし、前記操作部を１箇所とする構成とした請求項１または２に記載の集塵装置。
【請求項４】
集塵ケースの両側面を二重壁で形成し、係止部を解除する操作部を、吸引風の流路の外側に配置する構成とした請求項１〜３のいずれか１項に記載の集塵装置。
【請求項５】
集塵ケースの塵埃廃棄側に、係止部を解除する操作部の伝達部及び係止部を開放する構成とした請求項１〜４のいずれか１項に記載の集塵装置。
【請求項６】
請求項１〜５のいずれか１項に記載の集塵装置を用いた電気掃除機。
【発明の詳細な説明】
【技術分野】
【０００１】
本発明は、電気掃除機、特に、電気掃除機の集塵装置に関するものである。
【背景技術】
【０００２】
従来の電気掃除機の集塵方法として、使い捨ての紙パックを利用するものと、再利用可能な集塵装置を利用するものがあるが、近年、経済的な集塵装置を利用した電気掃除機が増えている。簡単な構造の集塵装置として、ゴミをためる集塵ケースに粗塵を捕集する上流フィルターと細塵を捕集するプリーツ状に加工したフィルターを有する下流フィルター両方が回動自在に取着されて集塵ケースの蓋となる構造の集塵装置がある。前記の集塵装置において、蓋となる上流／下流フィルターの回動軸は集塵ケース下方に設けられ、係止部、係止部を解除する操作部及び取り出し／持ち運び用の持ち手部が集塵ケースの上方に配置される構成（以下、下方回動軸構成）が主流である（例えば、特許文献１参照）。
【特許文献１】特開２００８−２２９３２号公報
【発明の開示】
【発明が解決しようとする課題】
【０００３】
前記の下方回動軸構成では、ゴミ捨て時、電気掃除機本体部から集塵装置を取り出し、持ち替えることなく、持ち手部近傍の操作部を操作することで、係止部を解除でき、尚且つ、集塵ケースの蓋となる上／下流のフィルターを上下で確実に固定することができる反面、ゴミ捨て時に下流側プリーツフィルターから除塵され、下流フィルター下部にたまった細塵の処理やプリーツフィルターについた細塵を付属のお手入れブラシで除去する際に、除去する方向が下流フィルター上部の被係止部方向になるため、清潔性に劣るなどの課題が挙げられる。また、ゴミ捨て時に開放側が上向きになるため、ほこりが舞い上がりやすいなどの課題が挙げられる。
【課題を解決するための手段】
【０００４】
前記従来の課題を解決するために、本発明は、前部に吸入口を設けた塵埃を捕集する集塵ケースと、粗塵を捕集する役割となる回動自在に取着された上流フィルターと、前記上流フィルターを通過した細塵を捕集する役割となる回動自在に取着された下流フィルターとを備えた集塵装置において、前記上流フィルターおよび下流フィルターを開閉する際の回動軸部を集塵ケースの上方に設け、前記上流フィルターおよび下流フィルターをロックする係止部を集塵ケースの側面の下方に設けたもので、集塵ケースの蓋となる上／下流のフィルターの開放方向が下向きとなることで、ごみ捨て時のお手入れ性や清潔性を向上した集塵装置及びその集塵装置を用いた電気掃除機を提供できるようになる。
【発明の効果】
【０００５】
本発明により、蓋となる上／下流のフィルター部の簡単な操作での係止部解除と集塵ケースへの確実な固定を両立し、尚且つゴミ捨て時の開放方向が下向きにできることで、ごみ捨て時のお手入れ性や清潔性を向上した集塵装置及びその集塵装置を用いた電気掃除機を提供できる。
【発明を実施するための最良の形態】
【０００６】
第１の発明は、前部に吸入口を設けた塵埃を捕集する集塵ケースと、粗塵を捕集する役割となる回動自在に取着された上流フィルターと、前記上流フィルターを通過した細塵を捕集する役割となる回動自在に取着された下流フィルターを備えた集塵装置において、前記の上流フィルターおよび下流フィルターを開閉する際の回動軸を集塵ケースの上方に設け、尚且つ前記のフィルターをロックする係止部を集塵ケースの側面の下方（両側）に設けることにより、ゴミ捨て時には、蓋部となる上／下流のフィルターは集塵ケース上側を軸中心に回動し、蓋部閉状態での保持は上部の回動軸部と側面下方２箇所でロックされる。これにより蓋部の閉状態における保持を確実に行う事ができると共に、ゴミ捨て時は開放方向を下向きにする事ができ、ゴミ捨て時に下流側プリーツフィルターから除塵され下部にたまった細塵の処理がしやすくなる。またゴミの舞い上がり防止などゴミ処理時の清潔性を向上することができる。
【０００７】
第２の発明は、第１の発明の係止部を解除する操作部は、集塵ケースの持ち手部と、上流フィルターおよび下流フィルターを開閉する際の回動軸部の間に位置に、配置することで、係止部を解除する動作を、持ち手部を持った状態で、片手で操作することが可能であり、持ち手部のスペースを確保しつつ、蓋部の開閉角度を大きくとることができることにより、ゴミ捨て時の操作性を向上させる。
【０００８】
第３の発明は、第１または第２の発明の係止部を解除する操作部及び集塵ケースの持ち手部を、集塵ケースの上方中央部に配置し、係止部を解除する操作部を略Ｕ字型形状とし、前記操作部を１箇所とする構成としたことで、持ち手部近傍の操作部１箇所の操作で両側の係止部を解除できる。これによりゴミ捨て時の操作を簡単にする事ができるとともに、部品点数の削減を行うことができる。
【０００９】
第４の発明は、第１〜３のいずれか一つの発明の集塵ケース側面部両側を２重壁で形成し、係止部を解除する操作部品は吸引風の流路の外側に配置の構成とすることで、集塵部及び集塵したゴミを捨てる時に、ゴミの通路になる部分と隔離できる。これにより解除操作の可動（摺動）部へのゴミやほこりの進入を極力防止することができる。
【００１０】
第５の発明は、第１〜４のいずれか一つの発明の集塵ケースの開放（ごみ捨て）側に係止部を解除する操作部の可動（伝達）部及び係止部を開放する構成とすることで、通常のゴミ捨ての動作時に、可動部及び係止部の開放側もゴミ捨て方向に向くので、可動（摺動）部へのゴミの蓄積が防止できるので、ゴミやほこりの蓄積による動作不良を防止することができる。
【００１１】
第６の発明は、第１〜第５のいずれか１つの発明に記載の集塵装置を備えた電気掃除機とすることで、清潔で、使い勝手のよい電気掃除機を提供することができる。
【００１２】
以下、本発明の実施の形態について、図面を参照しながら説明する。なお、この実施の形態によって、本発明が限定されるものではない。
【００１３】
（実施の形態１）
本発明の第１の実施の形態における電気掃除機について、図１〜図８を用いて説明する。
【００１４】
図１は、本実施の形態における電気掃除機の全体斜視図、図２（ａ）は、同掃除機本体に収納される集塵装置の斜視図（係止部ロックの状態）、図２（ｂ）は、同掃除機本体に収納される集塵装置の斜視図（係止部解除の状態）、図３（ａ）は同掃除機本体に収納される集塵装置の蓋部を外した状態斜視図、図３（ｂ）は同掃除機本体に収納される集塵装置の操作部品部断面図、図３（ｃ）は同掃除機本体に収納される集塵装置の蓋の係止部断面図、図４は同掃除機本体に収納される集塵装置のセンター断面図（係止部ロックの状態）、図５（ａ）は同掃除機本体に収納される集塵装置の断面図（係止部解除の状態）、図５（ｂ）は集塵装置の上流フィルター上部斜視図、図６（ａ）は同掃除機本体に収納される集塵装置の操作部品斜視図、図６（ｂ）は同掃除機本体に収納される集塵装置の上流フィルター斜視図、図６（ｃ）は同掃除機本体に収納される集塵装置の上流フィルターアーム部断面図（係止部ロックの状態）、図６（ｄ）は同掃除機本体に収納される集塵装置の上流フィルターアーム部断面図（係止部解除の状態）、図７（ａ）は同掃除機本体に収納される集塵装置の上流フィルター仮固定部断面図、図７（ｂ）は前記の仮固定部断面の拡大図、図８（ａ）は同掃除機本体に収納される集塵装置のごみ捨て時の状態での斜視図、図８（ｂ）は同掃除機本体に収納される集塵装置の下流フィルターお手入れ状態の斜視図を示す。
【００１５】
本実施の形態における電気掃除機は、掃除機本体１と、掃除機本体１の前方に設けた吸入口２に接続されるホース２と、ホース２の先端に設けられた接続パイプ３と、接続パイプ３に接続される延長管４と、延長管４の先端に設けられ塵埃を吸引する開口部（図示せず）を有する吸込具５からなり、掃除機本体１には、塵埃を吸引するための電動送風機６、塵埃を集塵する集塵装置７が内蔵されている。
【００１６】
図２に示す集塵装置７は、構成部品を大きく分けると、外郭を構成する集塵ケース８と、集塵ケース８の後部を塞ぐように設けられた上流フィルター９とその後方を塞ぐように設けられた下流フィルター１０から構成される。上流フィルター９及び下流フィルター１０は集塵ケース８上方に設けられた２箇所のヒンジ固定部８ａに開閉（回動）可能に取り付けられている。また、図３に示すとおり、下流フィルター１０を保持する係止部１１は集塵ケース８の両側の側面部下方に配置され、下流フィルター１０の下方両側設けた被係止部１０ａと嵌合することによって集塵ケース８に保持される。係止部１１の解除操作を行うＵ字型形状の操作部品１２は吸引風の流路となる集塵部８ｂ及び上流フィルター９と下流フィルター１０の外側に構成され、操作部品１２のアーム部１２ａ及び係止部１１は集塵ケース８の両サイドに設けられ二重壁８ｃにより隔離された構成とする。集塵ケース８上方中央部には取り出し／持ち運び用のもち手８ｄを設け、近傍に、係止部１１の解除操作を行う操作部１２ｂを配置する構成となっている。操作部品１２の操作部１２ｂ以外の外観になる箇所は、集塵ケース８の外観形状に対して、係止部１１のかかり代と同等以上の段差を設け凹とする構成となっている。
【００１７】
図４に示すように上流フィルター９は、枠体９ａとその枠体９ａと一体的に成形されたネットフィルター９ｂとから構成され、粗い塵埃を捕集する為に用いられる。枠体９ａは、集塵ケース８と下流フィルター１０側の両方に全周にシール手段であるシールパッキン９ｃが設けられ、上流フィルター９及び下流フィルター１０を閉じたとき、集塵ケース８及び下流フィルター１０のそれぞれと密封することができる。集塵ケース８及び下流フィルター１０のそれぞれと全周シールする箇所は集塵ケース８内に設けられており、側面部は二重壁８ｃの内側に配置されている。そして、前記の通り、集塵ケース８の両側の側面部下方に配置され係止部１１と下流フィルター１０の下方両側に設けた被係止部１０ａを嵌合させることによって、集塵装置７を密閉する構成となっている。
【００１８】
下流フィルター１０は、上流フィルター９を通過した細かい塵埃を捕集する細塵用フィルターであり、プリーツ加工（断面形状を波状に加工すること。）しており、プリーツ加工された波状の山と谷の折り目の方向はフィルター全体で上下方向に揃えてある。下流フィルター１０の後側にはジョジンレバー１３がホルダー１４と下流フィルター１０とで挟むことで保持されており、手動もしくは外部の動力源によりジョジンレバー１３は左右に動くことができ、下流フィルター１０のレール部１０ｂをはじくことで、下流フィルター１０に付着した細塵を落とす構成となっている。また下流フィルター１０の後側には、シール手段であるシールパッキン１０ｃが設けられ、集塵装置７が本体１に収納されたとき、電気掃除機内で集塵装置７を密閉する構成となっている。
【００１９】
また、本発明の集塵装置７には集塵ケース８の蓋部となる上流フィルター９及び下流フィルター１０を開放の開方向に付勢する付勢手段が設けられている。図４及び５に示すとおり、下流フィルター１０を開方向に付勢する付勢手段として、上流フィルター９上部のバネ収納部９ｄにバネ１５、また下流フィルター１０側にバネ１５を押さえる、リブ１０ｄが配置されている。前記のバネ収納部９ｄは下流フィルター１０方向側に縦方向のスリット９ｄが設けられており、蓋が閉状態では、そのスリット９ｄの内側に前記のリブ１０ｄが挿入され、常にバネ１５を押さえる構造となっている。図６に示すとおり、上流フィルター９を開方向に付勢する付勢手段として、操作部品１２の下部に傾斜面を設けた２箇所の突起形状１２ｃが上流フィルター９の集塵ケース８の上部に取着しているヒンジ部９ｆの上方に配置する構成とされている。前記のヒンジ部９ｆは前記の突起形状１２ｃの傾斜面と平行の傾斜面が設けられている。蓋部が密閉状況（操作部を押さない状態）では、これらの突起形状１２ｃの傾斜面と前記のヒンジ部９ｆ傾斜面の間は距離を設けており、前記の操作部品１２が下方に押されて、係止部１１が解除されるタイミングより後に、傾斜面同志が接触し、ヒンジ部９ｆを押さえる設定とされている。さらに、本発明の集塵装置７には、下流フィルター１０開放時、上流フィルター９のみを集塵ケース８側に固定できる手段として、図６に示すとおり、操作部品１２及び上流フィルター９に爪嵌合の上流フィルター固定用係止部１２ｄ及び上流フィルター固定用被係止部９ｇが両側２箇所に設けられている。図７に示すとおり、前記の上流フィルター固定用係止部１２ｄ及び上流フィルター固定用被係止部９ｇ嵌合面は、傾斜面で形成されており、本発明集塵装置７の下流フィルター１０のロック（前記係止部１１及び被係止部１０ａ）が解除されるタイミングより前に解除される設定とされている。
【００２０】
以上のように構成された本実施の形態における電気掃除機の動作、作用について以下に説明する。
【００２１】
図２（ｂ）に示すように本発明の集塵装置７はごみ捨て時に下側が開放する構造となっているが、そのごみ捨て時の動作を具体的に説明する。掃除機本体１に収納された集塵装置７はごみ捨て時に本体収納部（図示せず）から集塵ケース８の持ち手部８ｄを持って取り出される。取り出された集塵装置７は持ち手部８ｄ近傍の操作部１２ｂを押す事で、操作部品１２の両サイドのアーム部１２ａを介して、両側の係止部１１を下方に摺動させる。そして係止部１１が下方に摺動し、下流フィルター１０の下方に配した被係止部１０ａとの嵌合が解除され、下流フィルター１０が集塵ケース８上方に設けられた回動軸を中心に約１１０°開く。それに付随して上流フィルター９も開き、集塵ケース８の集塵部８ｂに蓄積されたゴミを捨てられるよう開放される。これにより、ごみ捨ての操作が片手で簡単に下向き開放にて行うことができ、蓋部閉状態での保持も上部の回動軸部と側面下方２箇所でロックされ、蓋部の閉状態における保持も確実に行う事ができる。また、開放方向を下向きにする事で、下流フィルター１０の下部にたまるジョジンレバー１３によりプリーツフィルターから除塵された細塵の処理がしやすくなる上に、お手入れ時のほこりの舞い上がりを抑えることができる。次に、ごみ捨て時の上流フィルター９及び下流フィルター１０を開方向に付勢する付勢手段及び上流フィルター９の固定部の動作詳細についても説明する。取り出された集塵装置７の操作部品トータルのストロークは５ｍｍであり、約１ｍｍ押すことで、まず前記の上流フィルター９のみの固定部である上流フィルター固定用係止部１２ｄ及び上流フィルター固定用被係止部９ｇが解除される。さらに１〜１．５ｍｍ抑えることで、下流フィルター１０のロックである係止部１１と被係止部１０ａのロックが解除される。解除と同時に下流フィルター１０を開方向に付勢する付勢手段であるバネ１５により、下流フィルター１０が開方向に押し出される。また、このバネ１５は上流フィルター９と下流フィルター１０の間にあり、ごみ捨てを行う時、両フィルターが回動する間も、両フィルター間に常にすき間を設ける役割を果たし、下流フィルター１０に付着した細塵及びプリーツフィルターから除塵された細塵が落ちやすくなる。さらに操作部品１２を下方に押し下げると、図６に示すとおり、操作部品１２の下部に傾斜面を設けた２箇所の突起形状１２ｃが上流フィルター９の集塵ケース８の上部に取着しているヒンジ部９ｆを押さえ、上流フィルター９を開方向に押し出す動作となっている。ごみ捨て時は図８（ａ）のような形態となり、上流フィルター９に配する粗い塵埃を捕集するネットフィルター９ｂのお手入れはこの状態で行う。また、下流フィルター１０の細かい塵埃を捕集するプリーツフィルター部のお手入れをする際に、上流フィルター９が下流フィルター１０の上に配したままでは、お手入れがし難いため、図８（ｂ）のとおり、上流フィルター９のみを集塵ケース８側に回動させ、前記の上流フィルター固定用係止部１２ｄ及び上流フィルター固定用被係止部９ｇにて上流フィルター９を集塵ケース８側に固定させる。上流フィルター９は集塵ケース８側に爪嵌合にて保持されることで、下流フィルター１０のお手入れ���し易くなる。
【産業上の利用可能性】
【００２２】
以上のように、本発明に係る集塵装置は、蓋となる上／下流のフィルター部の簡単な操作での係止部解除と集塵ケースへの確実な固定を両立し、尚且つゴミ捨て時の開放方向が下向きにできることで、ごみ捨て時のお手入れ性や清潔性を向上することができ、より清潔性に優れ、なおかつ使い勝手のよい電気掃除機を提供することができる。
【図面の簡単な説明】
【００２３】
【図１】本発明の実施の形態１における電気掃除機の全体斜視図
【図２】（ａ）同電気掃除機の掃除機本体に収納される集塵装置の斜視図（係止部ロックの状態）（ｂ）同掃除機本体に収納される集塵装置の斜視図（係止部解除の状態）
【図３】（ａ）同電気掃除機の掃除機本体に収納される集塵装置の蓋部を外した状態斜視図（ｂ）同集塵装置の操作部品部断面図（ｃ）同集塵装置の蓋の係止部断面図
【図４】同電気掃除機の掃除機本体に収納される集塵装置のセンター断面図（係止部ロックの状態）
【図５】（ａ）同電気掃除機の掃除機本体に収納される集塵装置の断面図（係止部解除の状態）（ｂ）同集塵装置の上流フィルター上部斜視図
【図６】（ａ）同電気掃除機の掃除機本体に収納される集塵装置の操作部品斜視図（ｂ）同集塵装置の上流フィルター斜視図（ｃ）同集塵装置の上流フィルターヒンジ部断面図（係止部ロックの状態、下流フィルターは図示せず）（ｄ）同集塵装置の上流フィルターヒンジ部断面図（係止部解除の状態下流フィルターは図示せず）
【図７】（ａ）同電気掃除機の掃除機本体に収納される集塵装置の上流フィルター固定部断面図（係止部ロックの状態、下流フィルターは図示せず）（ｂ）同集塵装置の仮固定部断面の拡大図
【図８】（ａ）同電気掃除機の掃除機本体に収納される集塵装置のごみ捨て時の状態での斜視図（ｂ）同集塵装置の下流フィルターお手入れ時の斜視図
【符号の説明】
【００２４】
１      掃除機本体
２      ホース
３      接続パイプ
４      延長管
５      吸込具
６      電動送風機
７      集塵装置
８      集塵ケース
８ａ    ヒンジ固定部
８ｂ    集塵部
８ｃ    二重壁
８ｄ    持ち手部
９      上流フィルター
９ａ    枠体
９ｂ    ネットフィルター
９ｃ    シールパッキン
９ｄ    バネ収納部
９ｅ    スリット
９ｆ    ヒンジ部
９ｇ    上流フィルター固定用被係止部
１０    下流フィルター
１０ａ  被係止部
１０ｂ  レール部
１０ｃ  シールパッキン
１０ｄ  リブ
１１    係止部
１２    操作部品
１２ａ  アーム部
１２ｂ  操作部
１２ｃ  突起形状
１２ｄ  上流フィルター固定用係止部
１３    ジョジンレバー
１４    ホルダー
１５    バネ
【図１】
2010004998.tif 000003
【図２】
2010004998.tif 000004
【図３】
2010004998.tif 000005
【図４】
2010004998.tif 000006
【図５】
2010004998.tif 000007
【図６】
2010004998.tif 000008
【図７】
2010004998.tif 000009
【図８】
2010004998.tif 000010